(57)【特許請求の範囲】
【請求項１】
操作子部の位置により系レベルが表示される系毎に設けられた系別レベル制御部と、
複数の前記系より構成される群であって、操作子部の位置により該群の群レベルが表示される群レベル制御部と、
前記群に属する複数の系における系間の差分レベルを取得して記録する記録部と、
系別の前記系別レベル制御部と、群別の前記群レベル制御部とが表示される表示手段とを備え、
前記表示手段に表示された前記群レベル制御部における前記操作子部の位置を操作することにより、当該群に属する複数の系の系レベルを、前記記録部に記録された系間の差分レベルを維持したまま一括して制御することができ、前記表示手段において、前記群を展開する操作を行うと、前記群に属する複数の系に対応する前記系別レベル制御部が、階層の異なる前記群レベル制御部に並べて表示され、前記系別レベル制御部における前記操作子部の位置を操作することにより、当該系の系レベルを前記群レベル制御部における前記操作子部の位置によらず制御することができると共に、
前記群は複数構成することができ、前記系を前記群に属させる際には、前記群の一つにのみ属させることができ、前記表示手段においては、各群毎に、前記群に属する複数の系に対応する前記系別レベル制御部を、前記群レベル制御部に並べて表示する前記展開する操作を行えると共に、各群毎に、前記群レベル制御部のみを表示する折りたたむ操作を行えることを特徴とするレベル制御装置。
【発明の詳細な説明】
【技術分野】
【０００１】
この発明は、群の設定状態が表示される階層と、各系のレベル制御部が表示される異なる階層とを並べて表示することができるレベル制御装置に関する。
【背景技術】
【０００２】
従来のミキサにおいて、フェーダ操作子をグループ化して連動させ、グループ化状態を視覚的に認識し易くすると共に、設定操作もし易くすることが知られている。この場合、各チャンネル毎のフェーダ操作子を備え、複数のフェーダ操作子をグループ化して、グループマスタのフェーダ操作子を操作することで、同一グループ内のフェーダ操作子を連動させて操作できるようにしている。また、表示画面上において、ユーザの選択操作に応じて特定のグループのウィンドウを開き、該ウィンドウにて当該グループに属する各フェーダ操作子の設定状態を示す画像を表示する。特定のグループのウィンドウに表示された当該グループに属する各フェーダ操作子の設定状態を示す画像に対するユーザの操作に応じて、当該グループに属する各フェーダ操作子の設定状態を変化させることが行われていた（特許文献１参照）。
【０００３】
具体的には、ドラムセット、グランドピアノなどの大型楽器、コーラス、ストリングス（弦楽奏団）など多人数による演奏音を集音する際は、複数のマイクロフォンを立てて、ミキサに入力し、ミキサで音量バランスを取っている。音量バランスはマイクロフォン等からの入力を受けたミキサのチャンネルのフェーダ操作子を操作して調整するが、バランスを取った後、その対象音源のトータルボリュームを増減するには、関連するチャンネルのフェーダ操作子を全て同率で操作する必要がある。そこで、「フェーダグループ化処理」によって所望の関連チャンネルを同一グループに割り当て、当該グループに対応づけて設けられた所定のグループマスターフェーダ操作子で当該グループに属する全てのチャンネルの音量を一括同率で連動制御できるようにしている。これによって、セッティングしたグループチャンネル間の音量バランスを崩すことなく、グループの音量を一様に制御できる。つまり、ドラム、ピアノなどのパートの音量をマイクセッティングで形成した音場感や音色を崩さずに連動して音量制御可能となる。このグループは、ミキサでは例えばＤＣＡグループと云われる。
【先行技術文献】
【特許文献】
【０００４】
【特許文献１】特開２００６−２７０８８６号公報
【発明の概要】
【発明が解決しようとする課題】
【０００５】
上記した従来のミキサにおいては、各グループの現在のグループ化設定状態の一覧表がディスプレイに表示され、一覧表では横軸に各チャンネルの番号が示され、縦軸に各グループの名前が示されている。縦軸と横軸の交点に黒丸を表示することにより、該当する縦軸のグループに該当する横軸のチャンネルが属することが示される。また、グループ化設定状態を図形表示する場合には、一覧表における対象とするグループのグループ名を選択する。これにより、フェーダグループウィンドウが開いて、当該選択されたグループのグループ化設定状態がフェーダグループウィンドウに図形表示される。このフェーダグループウィンドウでは、例えば、グループに属するフェーダ操作子とグループマスターのフェーダ操作子との図形が表示され、表示された各フェーダ操作子のレベル調整用のツマミの位置を見ることにより、当該操作子で設定されているレベルを確認できる。また、各フェーダ操作子のレベル調整用のツマミを操作することで、当該フェーダ操作子で制御しているレベルを調整することができる。
このように、群の設定状態が表示される階層では、群に属する各系の設定状態を表示することができないという問題点があった。すなわち、群に属する各系に設定されているレベルを確認するには、各系のレベル制御部が表示される異なる階層のウィンドウを開いて、各系のレベル制御部を表示しなければならない。また、グループに属する各系に設定されているレベルを制御する場合も同様であって、各系のレベル制御部が表示される異なる階層のウィンドウを開いて、表示された各系のレベル制御部によりレベルを制御しなければならない。
【０００６】
そこで、本発明は、群の設定状態が表示される階層と、各系のレベル制御部が表示される異なる階層とを並べて表示することができるレベル制御装置を提供することを目的としている。
【課題を解決するための手段】
【０００７】
上記目的を達成するために、本発明のレベル制御装置は、操作子部の位置により系レベルが表示される系毎に設けられた系別レベル制御部と、複数の前記系より構成される群であって、操作子部の位置により該群の群レベルが表示される群レベル制御部と、前記群に属する複数の系における系間の差分レベルを取得して記録する記録部と、系別の前記系別レベル制御部と、群別の前記群レベル制御部とが表示される表示手段とを備え、前記表示手段に表示された前記群レベル制御部における前記操作子部の位置を操作することにより、当該群に属する複数の系の系レベルを、前記記録部に記録された系間の差分レベルを維持したまま一括して制御することができ、前記表示手段において、前記群を展開する操作を行うと、前記群に属する複数の系に対応する前記系別レベル制御部が、階層の異なる前記群レベル制御部に並べて表示され、前記系別レベル制御部における前記操作子部の位置を操作することにより、当該系の系レベルを前記群レベル制御部における前記操作子部の位置によらず制御することができると共に、前記群は複数構成することができ、前記系を前記群に属させる際には、前記群の一つにのみ属させることができ、前記表示手段においては、各群毎に、前記群に属する複数の系に対応する前記系別レベル制御部を、前記群レベル制御部に並べて表示する前記展開する操作を行えると共に、各群毎に、前記群レベル制御部のみを表示する折りたたむ操作を行えることを最も主要な特徴としている。
【発明の効果】
【０００８】
本発明のレベル制御装置では、群を展開する操作を行うと、群に属する複数の系に対応する系別レベル制御部が、階層の異なる群レベル制御部に並べて表示されることから、群の設定状態が表示される階層と、各系のレベル制御部が表示される異なる階層とを並べて表示することができ、設定されている群レベルと、当該群に属する各系に設定されている系レベルを対比して確認することができるようになる。また、群レベル制御部における操作子部の位置を操作することにより、当該群に属する複数の系の系レベルを一括して制御することができると共に、系別レベル制御部における操作子部の位置を操作することにより、当該系の系レベルを独立して制御することができる。
【図面の簡単な説明】
【０００９】
【図１】本発明のレベル制御装置をミキサに接続した構成を示す図である。
【図２】本発明の実施例のレベル制御装置のハードウェア構成を示すブロック図である。
【図３】ミキサの主要な構成を示す図である。
【図４】本発明にかかるレベル制御装置の基本画面及びＧｒｐ展開画面を示す機能ブロック図である。
【図５】本発明にかかるレベル制御装置のＧｒｐ展開画面における単位Ｇｒｐの展開画面を示す図である。
【図６】本発明にかかるレベル制御装置の単位Ｇｒｐの展開画面において、操作の態様を説明するための図である。
【発明を実施するための形態】
【００１０】
本発明のレベル制御装置２をミキサに接続した構成を図１に示す。図１においてミキサはＭＩＸ部１として示されており、ＭＩＸ部１とレベル制御装置２は相互に通信可能とするための通信インタフェースおよびその動作プログラムを備えている。ＭＩＸ部１にワイヤレスあるいは有線のネットワークを介してレベル制御装置２を接続したり、赤外線通信の規格である「IrDA」、「Bluetooth」や、ＵＳＢ（Universal Serial Bus）などにより、レベル制御装置２をＭＩＸ部１に接続することができる。ＭＩＸ部１は、複数本のマイクや楽器などからの音信号が複数の入力チャンネル（以下、「チャンネル」を「ｃｈ」として表す。）に入力され、入力された音信号をミキシングした音信号を出力している。ＭＩＸ部１にレベル制御装置２を接続すると、ＭＩＸ部１はレベル制御装置２に全入力ｃｈの音量レベルの設定値などのｃｈ情報を送る。レベル制御装置２は、タッチパネルディスプレイを備えており、ユーザが表示メニューからレベル制御用のＧＵＩ（Graphical User Interface）の画像をタッチパネルディスプレイに表示することで、ＭＩＸ部１の各入力ｃｈから混合バスへのセンドレベルを制御することができる。このＧＵＩでは、ＭＩＸ部１から送られたｃｈ情報に基づいてノブを備えるフェーダを模擬した複数のレベル制御部が表示され、レベル制御部ではセンドレベルがノブの位置で示されている。このレベル制御部のノブの位置をユーザがタッチパネルディスプレイ上で操作すると、操作されたノブの位置に応じて、そのレベル制御部にアサインされた入力ｃｈから混合バスへのセンドレベルがレベル制御されるようになる。レベル制御されたセンドレベルは、ＭＩＸ部１に送られてＭＩＸ部１に反映される。このように、レベル制御装置２は、ＭＩＸ部１の各入力ｃｈから混合バスへのセンドレベルを制御できるリモートコントローラとして機能する
【００１１】
本発明の実施例のレベル制御装置２のハードウェア構成を示すブロック図を図２に示す。
図２に示すようにレベル制御装置２におけるＣＰＵ（Central Processing Unit）４０が管理プログラム（ＯＳ：Operating System）を実行しており、レベル制御装置２の全体の動作をＯＳ上で制御している。レベル制御装置２は、レベル制御装置２の動作プログラムや各種データが格納される不揮発性のＲＯＭ（Read Only Memory）４１と、ＣＰＵ４０のワークエリアや各種データが記憶されるＲＡＭ（Random Access Memory）４２を備えている。また、通信Ｉ／Ｆ４３はレベル制御装置２とＭＩＸ部１とが相互に通信するための通信インタフェースであり、ＵＳＢやイーサネット（登録商標）などのインタフェースとされる。通信Ｉ／Ｆ４３を通じて、レベル制御装置２のレベル制御部の操作に応じた情報がＭＩＸ部１に送信され、またＭＩＸ部１から送信された全入力ｃｈのセンドレベルなどのｃｈ情報を受信する。さらに、表示器４６は、ＣＰＵ４０による制御に従って種々の情報を表示するタッチパネルディスプレイの表示手段であり、例えば液晶パネル（ＬＣＤ）等によって構成することができる。表示器４６は、上記したＧＵＩ画面を表示するに十分な大きさとされている。操作子４５は、タッチパネルディスプレイを構成するタッチ操作により操作を行うことができるタッチパネルである。
【００１２】
本発明のレベル制御装置２が接続されるミキサの主要な構成を図３（ａ）に示す。
図３（ａ）においてミキサはＭＩＸ部１として示されており、入力ｃｈ部１０−１，１０−２，・・・，１０−ｎを備え、入力ｃｈ数がｎとされている。入力ｃｈ部１０−１には音信号Ｉｎ１が入力され、入力ｃｈ部１０−２には音信号Ｉｎ２が入力され、・・・，入力ｃｈ部１０−ｎには音信号Ｉｎｎが入力される。各入力ｃｈ部１０−１〜１０−ｎは同じ構成とされており、ヘッドアンプ（ＨＡ）２１、イコライザ（ＥＱ）２２、コンプレッサ（Comp）２３、フェーダー（Fader）２４、パン（Pan）２５を縦続接続して構成していると共に、センド（Send）２６を備えている。ＨＡ２１は、入力された音信号Ｉｎ１〜Ｉｎｎを増幅しているアンプであり、ＥＱ２２は、入力された音信号Ｉｎ１〜Ｉｎｎの周波数特性を調整するイコライザであり、例えば、ＨＩ，ＭＩＤ  ＨＩ，ＬＯＷ  ＭＩＤ，ＬＯＷの４バンドの各バンド毎の周波数特性を可変できるようにされている。また、コンプレッサ２３は、入力された音信号Ｉｎ１〜Ｉｎｎのダイナミックレンジを狭くして、入力された音信号Ｉｎ１〜Ｉｎｎが飽和することを防止しており、フェーダ２４は、入力された音信号Ｉｎ１〜Ｉｎｎのレベルを制御する電動フェーダ等のレベル可変手段であり、パン２５は、入力ｃｈ部１０−１〜１０−ｎからＬＲの２系統のステレオ（ＳＴ）バス１３に送られるステレオ信号の左右の定位を調節している。さらに、センド２６には、フェーダ２４の前と後からの音信号が供給されており、複数本（ｍ本）の混合（ＡＵＸ）バス１２にそれぞれ送る音信号のセンドレベルを制御している。この場合、センド２６は、ｍ本のＡＵＸバス１２毎にフェーダ２４の前あるいは後からの音信号を選択して、選択された音信号のセンドレベルを制御してＡＵＸバス１２に送っている。
【００１３】
ＭＩＸ部１においては、入力ｃｈ部１０−１〜１０−ｎからのそれぞれの音信号を、ｍ本のＡＵＸバス１２の任意のバスに供給してミキシングすることができると共に、ＳＴバス１３に供給してミキシングすることができる。そして、ｍ本のＡＵＸバス１２でミキシングされた音信号は、出力ｃｈ部１４−１，１４−２，・・・，１４−ｍのそれぞれの出力ｃｈ（出力ｃｈ数はｍ）に出力されている。また、ＳＴバス１３でミキシングされたステレオ信号はステレオ出力ｃｈ部１５に出力されている。出力ｃｈ部１４−１，１４−２，・・・，１４−ｍおよびステレオ出力ｃｈ部１５においては、イコライザ、コンプレッサ、フェーダーなどが縦続接続されて設けられており、出力する音信号の周波数特性やレベルが制御される。
【００１４】
本発明にかかるレベル制御装置２は、ｍ本のＡＵＸバス１２のそれぞれのバスに供給される入力ｃｈ部１０−１〜１０−ｎからの音信号のセンドレベルをリモートコントロールすることができる。本発明にかかるレベル制御装置２は、センドレベルをリモートコントロールする際に、レベル制御装置２において任意の複数の入力ｃｈより構成される仮想的なＣＨ群を作成して、ＣＨ群に属する入力ｃｈがアサインされた入力ｃｈ部１０（「入力ｃｈ部１０」は、入力ｃｈ部１０−１〜１０−ｎの任意の入力ｃｈ部を示す。）のセンド２６のセンドレベルを、当該ＣＨ群に対応づけて設けられたGroup Master１１で、入力ｃｈ間の差分レベルを維持したまま一括して連動制御できるようにしている。
具体的には、ドラムセット、グランドピアノなどの大型楽器、コーラス、ストリングス（弦楽奏団）など多人数による演奏が行われる際に、本発明にかかるレベル制御装置２を各演奏者に備えさせると、音源となる自分の演奏音をモニタすることができる。例えば、ドラムセットの演奏者は、キック、タム、スネアドラム、シンバルなどの楽器を演奏し、それぞれの楽器の演奏音はそれぞれ専用のマイクで収音されて入力Ｉｎ１〜Ｉｎｎのいずれかとなって、入力ｃｈ部１０−１〜１０−ｎに入力される。この場合、ドラムセットの演奏音が入力ｃｈ１の入力ｃｈ部１０−１ないし入力ｃｈ３の入力ｃｈ部１０−３に入力された場合は、演奏者は入力ｃｈ１〜ｃｈ３におけるそれぞれの演奏音の音量バランスを、入力ｃｈ部１０−１〜１０−３のそれぞれのフェーダ２４を操作してレベル制御することにより、各演奏音の間の音量バランスをとる。そして、入力ｃｈ部１０−１〜１０−３からの音信号のセンドレベルをそれぞれのセンド２６で制御してＡＵＸバス１２の「ＡＵＸ１」に供給すると、ＡＵＸバス１２の「ＡＵＸ１」にドラムセットの音量バランスの取れた演奏音が所望のレベルで供給されるようになる。ドラムセットの演奏者は、ＡＵＸバス１２のバス１でミキシングされた音信号が出力される出力ｃｈ部１４−１から出力される音信号を聴取することにより、音量バランスがセッティングされたドラムセットの演奏音をモニタすることができる。他の演奏者においても、自分の演奏音が入力される入力ｃｈ部１０のフェーダ２４を操作してレベル制御することにより、各演奏音の間の音量バランスをとり、センドレベルをセンド２６でそれぞれ制御してその演奏音のパートのＡＵＸバス１２のバスに供給し、当該バスでミキシングされた音信号が出力される出力ｃｈ部１４−ｉから出力される音信号をモニタすることは同様とされる。
【００１５】
そして、楽器や演奏者が異なる音源の間の音量バランスは、各入力ｃｈ部１０のフェーダ２４あるいはセンド２６で制御することができるが、複数の音源の間の音量バランスを保ったままその複数の音源のトータルボリュームを増減するには、関連する複数の入力ｃｈ部１０のフェーダ２４あるいはセンド２６を設定された入力ｃｈ間の差分レベルを維持したまま同率で操作しなければならず、非現実的である。そこで、本発明にかかるレベル制御装置２においては、複数の音源に関連する入力ｃｈより構成される仮想的なＣＨ群を作成し、さらに、当該ＣＨ群に対応づけた仮想的な群レベル制御部を作成する。そして、レベル制御装置２の群レベル制御部を操作することにより、当該群レベル制御部に対応づけられたＣＨ群に属する全ての入力ｃｈのセンドレベルを入力ｃｈ間の差分レベルを維持したまま一括して増減するようにしている。このＣＨ群は、前記したＤＣＡグループとは異なり、ミキサが関知することなくレベル制御装置２において任意の複数の入力ｃｈより自由に構成することができ、ＭＩＸ部１には作成されたＣＨ群や、群レベル制御部のパラメータ値などの情報は送られない。ＣＨ群及び群レベル制御部は、ＣＨ群を作成したレベル制御装置２において完結しており、演奏者毎などの複数のレベル制御装置２をＭＩＸ部１に接続している時には、それぞれのレベル制御装置２毎に任意の複数の入力ｃｈより構成されるＣＨ群を作成し、同時に作成した群レベル制御部により当該ＣＨ群に属する入力ｃｈのセンドレベルを入力ｃｈ間の差分レベルを維持したまま一括して増減することができるようになる。図３においては、群レベル制御部はGroup Master１１として示されており、Group Master１１により、Group Master１１に対応する群に属する入力ｃｈがアサインされた入力ｃｈ部１０のセンド２６のセンドレベルが入力ｃｈ間の差分レベルを維持したまま一括して増減することができる。図３において、Group Master１１からセンド２６への矢印の線が破線で示されているのは、Group Master１１に対応付けられたセンド２６のセンドレベルだけが増減されることを示している。
【００１６】
このような本発明にかかるレベル制御装置２の表示器４６に表示されるＧＵＩの基本画面３０の構成を図４（ａ）に示す。
ユーザがレベル制御装置２において、Ｇｒｐ１とＧｒｐ２との２つの仮想的なＣＨ群を作成すると、図４（ａ）の基本画面に示すように、ネームプレート３５に「Grp1」と表記されたＧｒｐ１のＣＨ群に対応付けられた群レベル制御部３１ａと、ネームプレート３５に「Grp2」と表記されたＧｒｐ２のＣＨ群に対応付けられた群レベル制御部３１ｂとが作成されて表示される。群レベル制御部３１ａ，３１ｂはノブ部３４を備えるフェーダを模擬した画像とされており、グレー表示された矩形の棒状の長さ（ノブ部３４の中央線まで）で設定されているレベルが示されている。図示する場合は、ノブ部３４を半透明にして表示しているが、半透明に限らず不透明でも良い。後述するように、Ｇｒｐ１には、ＣＨ１，ＣＨ２，ＣＨ３の３入力ｃｈが属しており、ＣＨ１〜ＣＨ３がアサインされた、例えば入力ｃｈ部１０−１〜１０−３におけるセンド２６のセンドレベルを、群レベル制御部３１ａを操作することにより入力ｃｈ間の差分レベルを維持したまま一括して増減することができる。この場合、群レベル制御部３１ａのノブ部３４にタッチして、その位置を上下に変更する操作を行うことにより、入力ｃｈ部１０−１〜１０−３におけるセンド２６のセンドレベルが操作後のノブ部３４の位置に対応して同率で制御される。また、Ｇｒｐ２には、ＣＨ４，ＣＨ５の２入力ｃｈが属しており、ＣＨ４，ＣＨ５がアサインされた、例えば入力ｃｈ部１０−４，１０−５におけるセンド２６のセンドレベルを、上記と同様にして群レベル制御部３１ｂのノブ部３４にタッチして位置を変更する操作を行うことにより、入力ｃｈ間の差分レベルを維持したまま一括して増減することができる。
【００１７】
また、群レベル制御部３１ａ，３１ｂの横方向に並べられて、群レベル制御部３１ａ，３１ｂに属していない入力ｃｈのセンドレベルを制御するＣＨレベル制御部３２の画像が表示されている。図示する場合は、ネームプレート３５に表記されているようにＣＨ６〜ＣＨ１１の６ｃｈ分の入力ｃｈのＣＨレベル制御部３２が表示されている。ＣＨレベル制御部３２もノブ部３４を備えるフェーダを模擬した画像とされており、グレー表示された矩形の棒状の長さ（ノブ部３４の中央線まで）で設定されているレベルが示されている。図示する場合は、ノブ部３４を半透明にして表示しているが、半透明に限らず不透明でも良い。各ＣＨレベル制御部３２においては、上記と同様にしてＣＨレベル制御部３２のノブ部３４にタッチして位置を変更する操作を行うことにより、操作したＣＨレベル制御部３２に対応する入力ｃｈ部１０のセンド２６のセンドレベルが制御されるようになる。
さらに、ＣＨレベル制御部３２に並べられてＡＵＸレベル制御部３３の画像が表示されている。ＡＵＸレベル制御部３３は、ネームプレート３５に表記されているようにＡＵＸバス１２の「ＡＵＸ１」でミキシングされた音信号が出力される出力ｃｈ部１４−１の出力レベルを制御する。ＡＵＸレベル制御部３３もノブ部３４を備えるフェーダを模擬した画像とされており、グレー表示された矩形の棒状の長さ（ノブ部３４の中央線まで）で設定されているレベルが示されている。図示する場合は、ノブ部３４を半透明にして表示しているが、半透明に限らず不透明でも良い。ＡＵＸレベル制御部３３においては、上記と同様にしてＡＵＸレベル制御部３３のノブ部３４にタッチして位置を変更する操作を行うことにより、ＡＵＸレベル制御部３３に対応する出力ｃｈ部１４−１の出力レベルを制御することができる。
【００１８】
図４（ａ）に示すＧｒｐ１のネームプレート３５にタップ操作を行うと、Ｇｒｐ１が展開されて図４（ｂ）に示すＧｒｐ展開画面３０’が表示器４６に表示される。Ｇｒｐ展開画面３０’では、Ｇｒｐ１が展開されて、群レベル制御部３１ａの横に並べられてＧｒｐ１に属する全ての入力ｃｈ１〜入力ｃｈ３の各センド２６のセンドレベルを制御する「CH1」「CH2」「CH3」のＣＨレベル制御部３２の画像が表示される。この場合、「CH1」「CH2」「CH3」のＣＨレベル制御部３２は、群レベル制御部３１ａの下位層に属しており、異なる階層ではあるが、同じ画面に同列に表示されるようになる。そして、Ｇｒｐ展開画面３０’では、Ｇｒｐ１が展開されて表示されていることを示す表示態様とされる。例えば、図示するように「Grp1」「CH1」「CH2」「CH3」のネームプレート３５を囲む破線の矩形枠が表示されたり、表示色が変えたりされる。Ｇｒｐ展開画面３０’では、群レベル制御部３１ａとＣＨレベル制御部３２という階層の異なる制御部が並べて表示されることから、異なった階層で設定されたレベルをＧｒｐ展開画面３０’で対比することができる。ここで、Ｇｒｐ展開画面３０’において、「Grp1」の群レベル制御部３１ａのノブ部３４にタッチしてその位置を変更する操作を行うと、入力ｃｈ間の差分レベルを維持したまま入力ｃｈ部１０−１〜入力ｃｈ部１０−３におけるセンド２６のセンドレベルが一括して増減され、増減されたセンドレベルに合わせて「CH1」「CH2」「CH3」のＣＨレベル制御部３２のノブ部３４の表示位置が変更されるようになる。また、「CH1」のＣＨレベル制御部３２のノブ部３４にタッチして位置を変更する操作を行うと、入力ｃｈ部１０−１におけるセンド２６のセンドレベルのみを、他の入力ｃｈ部と対比しながら増減することができる。「CH2」「CH3」のＣＨレベル制御部３２においても同様とされる。
【００１９】
また、図示していないがＧｒｐ２のネームプレート３５にタップ操作を行うと、Ｇｒｐ２が展開されて、群レベル制御部３１ｂの横に並べられてＧｒｐ２に属する全ての入力ｃｈ４，入力ｃｈ５の各センド２６のセンドレベルを制御する「CH4」「CH5」のＣＨレベル制御部３２の画像が表示される。展開された「Grp2」の群レベル制御部３１ｂのノブ部３４にタッチしてその位置を変更する操作を行った時は、入力ｃｈ間の差分レベルを維持したまま入力ｃｈ部１０−４，入力ｃｈ部１０−５におけるセンド２６のセンドレベルが一括して増減され、増減されたセンドレベルに合わせて「CH4」「CH5」のＣＨレベル制御部３２のノブ部３４の表示位置が変更されるようになる。また、「CH4」「CH5」のＣＨレベル制御部３２のノブ部３４にタッチして位置を変更する操作を行うと、対応する入力ｃｈ部１０におけるセンド２６のセンドレベルのみを増減することができる。
なお、図４（ａ）（ｂ）に示す基本画面３０およびＧｒｐ展開画面３０’においては、画面にタッチして横方向にスクロールすることにより、ＣＨ１１以降の入力ｃｈを表示することができる。また、群レベル制御部３１ａ，３１ｂおよびＣＨレベル制御部３２のノブ部３４の画像を、表示設定を変更することにより非表示に設定することができる。この際には、グレー表示された矩形の棒状の先端部にタッチして上下に移動することにより、レベル制御することができる。また、ネームプレート３５へのタップ操作によるＣＨ群の展開はトグル動作となり、展開されている群レベル制御部のネームプレート３５へのタップ操作を行うと、展開されているＣＨ群が折りたたまれて群レベル制御部のみが表示されるようになる。
【００２０】
次に、Ｇｒｐ１、Ｇｒｐ２とのＣＨ群における操作の態様について説明するが、ここでは、説明を容易にするために図４（ｂ）に示すＧｒｐ展開画面３０’から図５に示すＧｒｐ１の構成だけを抽出し、抽出したＧｒｐ１の構成を示す図６（ａ）〜（ｇ）を参照して説明することにする。
図５に示すＧｒｐ１の構成では、Ｇｒｐ１のＣＨ群に属する入力ｃｈ１（CH1）のＣＨレベル制御部３２ａ、入力ｃｈ２（CH2）のＣＨレベル制御部３２ｂ、入力ｃｈ３（CH3）のＣＨレベル制御部３２ｃにおいては、グレー表示された矩形の棒状の長さ（ノブ部３４の中央線まで）で設定されているセンドレベルが示されている。
図６（ａ）は群レベル制御部３１ａに示されるＧｒｐ１に設定されるマスターレベルを説明するための図であり、Ｇｒｐ１のＣＨ群に属する入力ｃｈ１（CH1）ないし入力ｃｈ３（CH3）のうちの最大のセンドレベルが自動的にＧｒｐ１のマスターレベルとして選択される。図示する場合は、「CH2」のセンドレベルが最大とされているので、ＣＨレベル制御部３２ｂに設定されている「CH2」のセンドレベルがＧｒｐ１のマスターレベルとして群レベル制御部３１ａに設定されるようになる。なお、ＣＨ群作成時、および、ＣＨ群に属する入力ｃｈのうちの最大のセンドレベルの更新時をトリガーにして、センドレベルが最大の入力ｃｈと、当該入力ｃｈと他の入力ｃｈとのセンドレベル値の差分を取得して差分データとして記録しておく。
【００２１】
また、図６（ｂ）は群レベル制御部３１ａのノブ部３４にタッチして、その位置を上方に移動させた時のＧｒｐ１のＣＨ群に属する入力ｃｈ１（CH1）ないし入力ｃｈ３（CH3）のセンドレベルの変化を示す図である。この図に示すように、Ｇｒｐ１のマスターレベルは破線（白色）の位置から図示するように増大するようになり、この増大に対応してＣＨレベル制御部３２ａないしＣＨレベル制御部３２ｃに設定されている入力ｃｈ１（CH1）ないし入力ｃｈ３（CH3）の破線（白色）の位置で示されたそれまでのセンドレベルが、上記記録された差分データを基に入力ｃｈ間の差分レベルを維持したま一括して増大される。併せて、増大されたセンドレベルに合わせて「CH1」「CH2」「CH3」のＣＨレベル制御部３２ａ，３２ｂ，３２ｃのノブ部３４の表示位置が変更されるようになる。
【００２２】
図６（ｃ）は群レベル制御部３１ａのノブ部３４にタッチして、その位置を最大値になるまで上方に移動させた時のＧｒｐ１のＣＨ群に属する入力ｃｈ１（CH1）ないし入力ｃｈ３（CH3）のセンドレベルの変化を示す図である。この図に示すように、Ｇｒｐ１のマスターレベルは破線（白色）の位置から図示するように最大値に増大され、この増大に対応してＣＨレベル制御部３２ａないしＣＨレベル制御部３２ｃに設定されている入力ｃｈ１（CH1）ないし入力ｃｈ３（CH3）の破線（白色）の位置で示されたそれまでのセンドレベルが、上記記録された差分データを基に入力ｃｈ間の差分レベルを維持したま一括して増大される。併せて、増大されたセンドレベルに合わせて「CH1」「CH2」「CH3」のＣＨレベル制御部３２のノブ部３４の表示位置が変更されるようになる。この場合、マスターレベルとして設定されていた「CH2」のセンドレベルは最大値となるが、「CH1」「CH3」のセンドレベルは最大値に達することはなく、マスターレベルをそれ以上増大することができないことから、Ｇｒｐ１に属する全ての入力ｃｈにおいてレベルの上限を制限することを防止することができるようになる。
【００２３】
図６（ｄ）は群レベル制御部３１ａのノブ部３４にタッチして、その位置を最小値になるまで下方に移動させた時のＧｒｐ１のＣＨ群に属する入力ｃｈ１（CH1）ないし入力ｃｈ３（CH3）のセンドレベルの変化を示す図である。この図に示すように、Ｇｒｐ１のマスターレベルは破線の位置から図示するように最小値になる。この場合、マスターレベルは最小値であることから、「CH2」のセンドレベルは最小値となり、「CH1」「CH3」においてはマスターレベルより小さいことから、Ｇｒｐ１に属する入力ｃｈ１（CH1）ないし入力ｃｈ３（CH3）の破線の位置で示されたそれまでのセンドレベルが、全て最小値になる。併せて、最小値とされたセンドレベルに合わせて「CH1」「CH2」「CH3」のＣＨレベル制御部３２ａ，３２ｂ，３２ｃのノブ部３４の表示位置が下端となる。この場合、マスターレベルが「CH2」のセンドレベルに設定されていること、および、上記記録された差分データは更新されず操作する前の差分データが保持される。
【００２４】
図６（ｅ）は、図６（ｄ）に示すようにＣＨ群に属する全ての入力ｃｈのセンドレベルが最小値に設定されている状態において、群レベル制御部３１ａのノブ部３４にタッチして、その位置を上方に移動させた時のＧｒｐ１のＣＨ群に属する入力ｃｈ１（CH1）ないし入力ｃｈ３（CH3）のセンドレベルの変化を示す図である。この図に示すように、Ｇｒｐ１のマスターレベルは最小値から図示するように増大するようになり、この増大に対応して最小値に設定されている入力ｃｈ１（CH1）ないし入力ｃｈ３（CH3）のセンドレベルが、上記記録された差分データを基に入力ｃｈ間の差分レベルを維持したま一括して増大される。併せて、増大されたセンドレベルに合わせて「CH1」「CH2」「CH3」のＣＨレベル制御部３２ａ，３２ｂ，３２ｃのノブ部３４の表示位置が変更されるようになる。
これにより、例えばＧｒｐ１の音を消したい場合は図６（ｄ）のように群レベル制御部３１ａを最小値になるまで操作すればよく、その後で、Ｇｒｐ１の音も聞きたい場合は図６（ｅ）のように群レベル制御部３１ａを最小値から所定の位置まで操作すればよいことになる。
【００２５】
図６（ｆ）は「CH1」のＣＨレベル制御部３２ａのノブ部３４にタッチして、その位置を上方に移動させた時のＧｒｐ１のＣＨ群に属する入力ｃｈ１（CH1）ないし入力ｃｈ３（CH3）のセンドレベルの変化を示す図である。この図に示すように、操作されたＣＨレベル制御部３２ａにアサインされている入力ｃｈ１（CH1）の破線（白色）の位置で示されたそれまでのセンドレベルが増大するが、入力ｃｈ２（CH2）および入力ｃｈ３（CH3）のセンドレベルは変化しないと共に、マスターレベルも変化しない。併せて、増大されたセンドレベルに合わせて「CH1」のＣＨレベル制御部３２ａのノブ部３４の表示位置は変更されるが、「CH2」「CH3」のＣＨレベル制御部３２ｂ，３２ｃおよび「Grp1」の群レベル制御部３１ａのノブ部３４の表示位置は維持されるようになる。このように、あるＣＨレベル制御部３２のノブ部３４の位置を操作した場合は、そのＣＨレベル制御部３２に対応する入力ｃｈのセンドレベルのみが変更されるようになり、ＣＨ群に属する入力ｃｈのセンドレベルを単独で操作することができる。
【００２６】
図６（ｇ）は「CH1」のＣＨレベル制御部３２ａのノブ部３４にタッチして、その位置を上方に移動させた時のＧｒｐ１のＣＨ群に属する入力ｃｈ１（CH1）ないし入力ｃｈ３（CH3）のセンドレベルの変化を示す図である。この図に示すように、操作されたＣＨレベル制御部３２ａに設定されている入力ｃｈ１（CH1）の破線（白色）の位置で示されるそれまでのセンドレベルが増大して、それまで最大であった入力ｃｈ２（CH2）のセンドレベルを超えるようになると、入力ｃｈ１（CH1）のセンドレベルが最大になったと判断されて、マスターレベルが入力ｃｈ１（CH1）のセンドレベルに更新されるようになる。そして、この最大のセンドレベルの更新をトリガーにして、最大のセンドレベルになった入力ｃｈ１（CH1）と他の入力ｃｈ２（CH2）、入力ｃｈ３（CH3）とのセンドレベル値の差分を取得して記録された差分データを更新する。併せて、増大されたセンドレベルに合わせて「CH1」のＣＨレベル制御部３２ａおよび「Grp1」の群レベル制御部３１ａのノブ部３４の表示位置が最大のセンドレベルを示すように変更されるが、「CH2」「CH3」のＣＨレベル制御部３２ｂ，３２ｃのノブ部３４の表示位置は維持されるようになる。
なお、上記した差分データに使用するセンドレベル値の種類（リニアスケール、ｄＢスケールなど）は問わない。また、画面上に表示する値は、実際のレベル値（リニア値、ｄＢ値など）に何らかの変換（テーブル、関数など）を加えてもよい。
【産業上の利用可能性】
【００２７】
以上説明した本発明のレベル制御装置を備えるミキサでは、ＣＨレベル制御部３２が、操作子部の位置により系毎の信号の出力レベルが表示される系毎に設けられた系別レベル制御部に相当し、群レベル制御部３１ａ，３１ｂが、複数の前記系より構成される群であって、操作子部の位置により該群の群レベルが表示される群レベル制御部に相当し、ＣＨレベル制御部３２および群レベル制御部３１ａ，３１ｂが表示される表示器４６が、系別の前記系別レベル制御部と、群別の前記群レベル制御部とが表示される表示手段に相当する。
本発明のレベル制御装置は、ミキサのレベル制御装置として説明したが、これに限ることはなく、例えば、複数の照明を備える照明装置の各照明の照度レベルを制御するレベル制御装置とすることができる。この場合は、複数の照明より構成される群を作成し、群に属する複数の照明間の各照度レベルのバランス調整を行う。そして、当該群に対応付けられた群レベル制御部により、群に属する複数の照明間の照度レベルの差分（バランス）を維持したまま一括して照度レベルを増減することができる。
以上説明した本発明では、群レベル制御部により、当該群に属する入力ｃｈのＡＵＸバス１２へのセンドレベルを入力ｃｈ間の差分レベルを維持したまま一括して増減するようにしたが、センドレベルに替えて当該群に属する入力ｃｈのフェーダ２４のレベルを入力ｃｈ間の差分レベルを維持したまま一括して増減するようにしてもよい。あるいは、出力ｃｈより構成される群を作成し、群レベル制御部により、当該群に属する出力ｃｈの出力レベルを維持したまま一括して増減するようにしてもよい。
また、本発明のレベル制御装置はタッチパネルディスプレイを備えていることから、上記した群レベル制御部やＣＨレベル制御部のノブ部の移動操作や各部位へのタップ操作などは、タッチパネルディスプレイにタッチして操作することができるが、タッチパネルディスプレイの周辺に専用の操作子を設けて上記操作を行うようにしても良い。
【符号の説明】
【００２８】
１  ＭＩＸ部、２  レベル制御装置、１０，１０−１〜１０−ｎ  入力ｃｈ部、１１  Group Master、１２  ＡＵＸバス、１３  ＳＴバス、１４−１〜１４−ｍ  出力ｃｈ部、１５  ステレオ出力ｃｈ部、２１  ＨＡ、２２  ＥＱ、２３  コンプレッサ、２４  フェーダ、２５  パン、２６  センド、３０  基本画面、３０’  Ｇｒｐ展開画面、３１ａ，３１ｂ  群レベル制御部、３２  ＣＨレベル制御部、３２ａ〜３２ｃ  ＣＨレベル制御部、３３  ＡＵＸレベル制御部、３４  ノブ部、３５  ネームプレート、４０  ＣＰＵ、４１  ＲＯＭ、４２  ＲＡＭ、４３  通信Ｉ／Ｆ、４５  操作子、４６  表示器、４７  バス
【図１】
0006634687.tif 000002
【図２】
0006634687.tif 000003
【図３】
0006634687.tif 000004
【図４】
0006634687.tif 000005
【図５】
0006634687.tif 000006
【図６】
0006634687.tif 000007